(57)【要約】【課題】  施工が容易になるとともに、床パンと壁パネルとの間の水漏れを確実に防止することができる壁パネルの床パンへの設置構造を提供すること。【解決手段】  床パン２１の縁部に沿って形成した支持部２２の室外側に、上方に向って延びたのちに室内側下方に延びて先端部が支持部２２の上面部２２ｂの上方に位置する係合部２４を設けた。また、壁パネル１２ａの下端部における室外側に、壁パネル１２ａを支持部２２の上面部２２ｂ上に設置した状態から所定長さ上方に持ち上げたときに係合部２４に係合する被係合部２９を設けた。そして、支持部２２と壁パネル１２ａとの間に、メジ材２３を挿入して壁パネル１２ａを上昇させることにより係合部２４と被係合部２９とを係合させた。また、係合部２４は、ねじ２５で支持部２２に固定した。さらに、メジ材２３を、硬質本体部２３ａと、軟質ヒレ部２３ｂと、弾性片２３ｃで構成した。【選択図】  図２
2006200287.tif 000002
【特許請求の範囲】
【請求項１】
床パンの縁部に沿って形成された支持部と、前記支持部の上面に設置される壁パネルとの間を止水した状態で、前記壁パネルを前記床パンに設置するための壁パネルの床パンへの設置構造であって、
前記支持部における室外側部分に、係合部を設けるとともに、前記壁パネルの下端部における室外側部分に、前記壁パネルを前記支持部の上面に設置した状態から所定高さ上昇させたときに前記係合部に係合する被係合部を設け、前記支持部の上面に前記壁パネルを設置したのちに、前記支持部と前記壁パネルとの間に、シール用のメジ材を挿入して前記壁パネルを所定高さ上昇させることにより前記係合部と前記被係合部とを係合させたことを特徴とする壁パネルの床パンへの設置構造。
【請求項２】
前記係合部が前記支持部と別部材で構成され、固定部材を介して前記支持部に固定されている請求項１に記載の壁パネルの床パンへの設置構造。
【請求項３】
前記係合部および前記被係合部のうちの少なくとも一方が、前記床パネルの縁部に沿った方向に所定間隔を保って設けられた複数個のもので構成されている請求項１または２に記載の壁パネルの床パンへの設置構造。
【請求項４】
前記メジ材が、前記支持部と前記壁パネルとの間に設置される硬質本体部と、前記支持部と前記壁パネルとの境界部およびその近傍における室内側の面に沿って設置される軟質ヒレ部とで構成されている請求項１ないし３のうちのいずれか一つに記載の壁パネルの床パンへの設置構造。
【請求項５】
前記メジ材の硬質本体部の上下両面に、前記軟質ヒレ部側に傾斜した状態で上方および下方にそれぞれ延びる弾性片を形成し、前記メジ材を、前記支持部と前記壁パネルとの間に挿入する際には、前記弾性片が前記硬質本体部側に撓んで前記メジ材の挿入がしやすくなり、前記メジ材を前記支持部と前記壁パネルとの間に挿入したのちには、それぞれの弾性片が対応する前記支持部または前記壁パネルに圧接して、前記メジ材が抜けにくくなるようにした請求項４に記載の壁パネルの床パンへの設置構造。
【発明の詳細な説明】
【技術分野】
【０００１】
本発明は、床パンの縁部側に壁パネルを設置するための壁パネルの床パンへの設置構造に関する。
【背景技術】
【０００２】
従来から、例えば、ユニット式の浴室は、浴槽パンと洗い場パンとからなる床パンの周縁部に壁パネルを設置するとともに、各壁パネルの上端部に天井パネルを取り付けて構成されている。そして、床パンと各壁パネルとの間や各パネルどうしの間、特に、壁パネルの床パンへの設置構造には、止水のための構造が設けられて、浴室内の湯水が室外に漏れないようにしている（例えば、特許文献１参照）。
【０００３】
この壁パネルの床パンへの設置構造では、床パンの縁部が、床パンの底面部から立ち上がった立上部と、立上部の上端縁部から外部側に向かって水平に延びるフランジ状の壁パネル載置片と、壁パネル載置片の縁部から立ち上がった水返し片とで構成されている。そして、壁パネル載置片の上に壁パネルを設置するとともに、水返し片に下方が開口したパネル枠を被せ、壁パネルとパネル枠とを接着剤で接着している。また、壁パネル載置片と壁パネルとの間にシリコンからなるシール材を設け、水返し片とパネル枠との間に封水材を設けてそれぞれの部分を止水している。
【特許文献１】特開２００３−６４８９５号公報
【発明の開示】
【０００４】
しかしながら、前述した壁パネルの床パンへの設置構造では、接着剤、シール材、封水材等を用いて各部材を組み付けるため壁パネルの設置作業が面倒になるという問題や、設置作業における工程数が多くなるという問題がある。また、施工状態にばらつきが生じ易くなり、これが耐久性に影響するという問題がある。また、シール材が傷んだ場合には、その部分に隙間が生じて水が溜まりやすくなり、この水が壁パネルの裏側にまわると、場合によっては床パンの設置面に漏れてしまうことがある。
【０００５】
本発明は、前述した問題に対処するためになされたもので、その目的は、施工が容易になるとともに、床パンと壁パネルとの間の止水性を向上させることができる壁パネルの床パンへの設置構造を提供することである。
【０００６】
前述した目的を達成するため、本発明に係る壁パネルの床パンへの設置構造の構成上の特徴は、床パンの縁部に沿って形成された支持部と、支持部の上面に設置される壁パネルとの間を止水した状態で、壁パネルを床パンに設置するための壁パネルの床パンへの設置構造であって、支持部における室外側部分に、係合部を設けるとともに、壁パネルの下端部における室外側部分に、壁パネルを支持部の上面に設置した状態から所定高さ上昇させたときに係合部に係合する被係合部を設け、支持部の上面に壁パネルを設置したのちに、支持部と壁パネルとの間に、シール用のメジ材を挿入して壁パネルを所定高さ上昇させることにより係合部と被係合部とを係合させたことにある。
【０００７】
前述したように構成した本発明に係る壁パネルの床パンへの設置構造では、床パンの支持部の上面に壁パネルを設置して、支持部と壁パネルとの間に、シール用のメジ材を挿入するだけで壁パネルの床パンへの設置ができるため、施工が極めて容易になる。また、この場合、壁パネルはメジ材の挿入により上昇して被係合部を係合部に係合させるため、壁パネルの床パンへの確実な取り付けが可能になる。さらに、支持部と壁パネルとの間に取り付けられたメジ材は壁パネルの重さによって、支持部に押し付けられるため、止水性を向上させることができる。
【０００８】
また、本発明に係る壁パネルの床パンへの設置構造の他の構成上の特徴は、係合部が支持部と別部材で構成され、固定部材を介して支持部に固定されていることにある。これによると、施工の際に、係合部を床パンの支持部に取り付けることができるため、床パンの形状が単純になって製造が容易になる。また、この係合部をガイドレールで構成することができ、これによると、別途ガイドレールを設けることなく、壁パネルを支持部の適正位置に位置決めできる。
【０００９】
また、本発明に係る壁パネルの床パンへの設置構造のさらに他の構成上の特徴は、係合部および被係合部のうちの少なくとも一方が、床パンの縁部に沿った方向に所定間隔を保って設けられた複数個のもので構成されていることにある。これによると、係合部や被係合部を必要な部分に最小限設ければよくなるため、材料の節減ができる。この場合、係合部と被係合部との双方を複数個のもので構成して所定間隔で設けてもよいし、一方を支持部または壁パネルの長手方向の全体に沿って設け、他方を複数個で構成して所定間隔で設けてもよい。
【００１０】
また、本発明に係る壁パネルの床パンへの設置構造のさらに他の構成上の特徴は、メジ材が、支持部と壁パネルとの間に設置される硬質本体部と、支持部と壁パネルとの境界部およびその近傍における室内側の面に沿って設置される軟質ヒレ部とで構成されていることにある。
【００１１】
これによると、メジ材における支持部と壁パネルとの間に設置される部分は、硬質材料からなる硬質本体部で構成されるため、壁パネルの重さが加わっても劣化し難く耐久性に優れたものになる。また、メジ材における支持部と壁パネルとの境界部およびその近傍における室内側の面に沿って設置される部分は、軟質材料からなる軟質ヒレ部で構成されるため、支持部と壁パネルとの境界部に密着できる。このため、支持部と壁パネルとの間が止水性に優れたものになる。また、このメジ材は、成形体で構成することができ、硬質材料と軟質材料とを一緒に成形することにより、異なる硬さを備えたメジ材を成形することができる。
【００１２】
また、本発明に係る壁パネルの床パンへの設置構造のさらに他の構成上の特徴は、メジ材の硬質本体部の上下両面に、軟質ヒレ部側に傾斜した状態で上方または下方にそれぞれ延びる弾性片を形成し、メジ材を、支持部と壁パネルとの間に挿入する際には、弾性片が硬質本体部側に撓んでメジ材の挿入がしやすくなり、メジ材を支持部と壁パネルとの間に挿入したのちには、それぞれの弾性片が対応する支持部または壁パネルに圧接して、メジ材が抜け難くなるようにしたことにある。
【００１３】
これによると、メジ材は、支持部と壁パネルとの間に挿入しやすくなり、挿入したのちには抜け難くなる。また、硬質本体部の上下面に形成された弾性片はそれぞれ支持部または壁パネルに圧接するため、支持部と壁パネルとの間は確実にシールされる。また、この弾性片は、硬質本体部の上下面にそれぞれ１個だけ設けてもよいし、複数個設けてもよい。さらに、この弾性片は、軟質材料で構成することが好ましい。これによって、さらに、支持部と壁パネルに対する弾性片の密着性が増すようになる。
【発明を実施するための最良の形態】
【００１４】
（第１実施形態）
以下、本発明に係る壁パネルの床パンへの設置構造の第１実施形態を図面を用いて説明する。図１は、同実施形態に係る設置構造２０を備えた浴室ユニット１０を示している。この浴室ユニット１０は、浴槽１１を備えており、浴槽１１は、浴槽パン（図示せず）の上面に設置されている。そして、浴槽パンの一方の縁部（浴室ユニット１０の中央側に位置する縁部）には、洗い場パン２１ａが接続されている。この浴槽パンと洗い場パン２１ａとで本発明に係る床パン２１が構成され、床パン２１の周縁部に壁パネル１２ａ，１２ｂ，１２ｃ（図１における手前側の壁パネルは図示せず）が起立状態で設置されている。なお、床パン２１は、コンクリート等からなる設置面上に設置されている。
【００１５】
そして、壁パネル１２ａ等の上端には、天井パネル（図示せず）が掛け渡されて固定されている。浴室ユニット１０を構成する浴槽１１、床パン２１、天井パネル等は、それぞれ樹脂の成形体で構成されている。また、壁パネル１２ａには、浴室ユニット１０と脱衣室（図示せず）との間を開閉するためのドア１３が設けられている。そして、床パン２１の上面における壁パネル１２ｂに沿った部分にカウンター１４が設けられ、壁パネル１２ｂにおけるカウンター１４の上方に棚１５や鏡１６が設けられている。
【００１６】
また、カウンター１４の上面における浴槽１１側部分には、水栓１７が設けられている。そして、カウンター１４の前側面における壁パネル１２ａ側部分には、シャワー１８が設けられ、その先端把持部が壁パネル１２ａに設けられた支持部１８ａに着脱可能に保持されている。また、壁パネル１２ａには、手摺１９も設けられている。
【００１７】
床パン２１は、床面部２１ｂと、床面部２１ｂの周縁部から立ち上がった支持部２２とで構成されており、支持部２２の上部には壁パネル１２ａ等が並んだ状態で設置されている。そして、設置構造２０は、図２に示したように、支持部２２、壁パネル１２ａ等（以下、壁パネル１２ａとして説明する。）、メジ材２３および支持部２２に取り付けられた係合部２４で構成されている。支持部２２は、床面部２１ｂの周縁部から上方に向かって延びる立上部２２ａと、立上部２２ａの上端から外部側（以下、外部側を室外側、内部側を室内側と記す。）に向かって水平方向に延びる上面部２２ｂと、上面部２２ｂの室外側端部から上方に向かって延びる支持面部２２ｃとで構成されている。そして、支持面部２２ｃの室内側の面に係合部２４が固定されている。
【００１８】
係合部２４は、アルミニウムの押出し材からなっており、支持面部２２ｃに沿うように形成された垂直片２４ａと、垂直片２４ａの上端部から室内側に向って延びる水平片２４ｂと、水平片２４ｂの室内側端部から下方に向って延びる係合片２４ｃとで構成されている。水平片２４ｂの幅（図２における左右方向の長さ）は、支持部２２の上面部２２ｂの幅の略１／４程度に設定されている。また、係合片２４ｃの上下方向の長さは、支持面部２２ｃの上下方向の長さの１／６〜１／５程度に設定されている。そして、係合部２４は、図３に示したように、ねじ２５で垂直片２４ａを支持面部２２ｃに固定することにより支持部２２に取り付けられている。
【００１９】
また、壁パネル１２ａは、発泡ウレタンからなる芯材２６の両面に鋼板２７ａ，２７ｂを張り付けるとともに、下端部に硬質の樹脂材料からなる被係合部形成部２８を設けて構成されている。そして、壁パネル１２ａの下端側に設けられた被係合部形成部２８には、支持部２２の支持面部２２ｃに固定された係合部２４と係合可能な被係合部２９が形成されている。被係合部２９は、壁パネル１２ａの室外側の面から室内側に向って延びる水平凹部２９ａと、水平凹部２９ａの奥端から下方に延びる被係合凹部２９ｂとで構成されている。
【００２０】
この水平凹部２９ａには、係合部２４の水平片２４ｂが設置され、被係合凹部２９ｂには、係合部２４の係合片２４ｃが係合している。また、係合片２４ｃと被係合凹部２９ｂとの上下方向の係合部分の長さは、図４に示したように、支持部２２の上面部２２ｂ上に直接壁パネル１２ａを設置したときには、係合片２４ｃと被係合凹部２９ｂとは係合しないように設定されている。
【００２１】
メジ材２３は、帯状のＥＰＤＭゴム（エチレン−プロピレンゴム）からなっており、図５に示したように、硬質本体部２３ａと、硬質本体部２３ａの一端部に、硬質本体部２３ａと直交して形成された軟質ヒレ部２３ｂと、硬質本体部２３ａの上下面にそれぞれ形成された複数の弾性片２３ｃとで構成されている。硬質本体部２３ａの上面に形成された弾性片２３ｃは、軟質ヒレ部２３ｂ側に傾斜した状態で上方に向かって延び、硬質本体部２３ａの下面に形成された弾性片２３ｃは、軟質ヒレ部２３ｂ側に傾斜した状態で下方に向かって延びている。
【００２２】
このメジ材２３は、硬さの異なる材料を用いて一体的に成形することにより構成されており、硬質本体部２３ａは硬質に形成され、軟質ヒレ部２３ｂと弾性片２３ｃとは軟質に形成されている。また、硬質本体部２３ａの厚みは、メジ材２３を、支持部２２と壁パネル１２ａとの間に挿入したときに、壁パネル１２ａを上昇させて、係合片２４ｃと被係合凹部２９ｂとを係合させるに充分な厚みに設定されている。
【００２３】
この設置構造２０は、床パン２１の周縁部の略全体に沿って設けられており、このように、支持部２２と壁パネル１２ａとの間にメジ材２３を挿入することにより、床パン２１の周縁部に沿って止水構造を形成した状態で、支持部２２と壁パネル１２ａとを係合させることができる。また、壁パネル１２ａを床パン２１に設置するための施工は、つぎのようにして行われる。まず、床パン２１を設置面上の所定位置に設置したのちに、支持部２２の支持面部２２ｃに、ねじ２５で係合部２４の垂直片２４ａを固定することにより、図３の状態にする。
【００２４】
そして、支持部２２の上面部２２ｂ上に壁パネル１２ａを設置する。この場合の設置は、壁パネル１２ａを上面部２２ｂの上面における室内側部分に仮に載せたのちに、上面部２２ｂ上で室外側にスライドさせて、被係合部形成部２８を係合部２４の垂直片２４ａに当接させることにより行う。これによって、図４に示した状態になる。そして、支持部２２の上面部２２ｂと壁パネル１２ａの被係合部形成部２８との間にメジ材２３を押し込んで挿入する。これによって、壁パネル１２ａが上昇して、係合部２４と被係合部２９とが係合し、壁パネル１２ａの支持部２２への設置作業が終了する。この場合、壁パネル１２ａは、係合部２４の垂直片２４ａによって、適正位置に位置決めされる。
【００２５】
本実施形態に係る設置構造２０は、以上のように構成されているため、浴室ユニット１０内で入浴者が水栓１７やシャワー１８の湯水を使ったり、浴槽１１内の湯を使ったりしても、その湯水が床パン２１と壁パネル１２ａとの間から漏れて床パン２１の設置面側に流れることを防止できる。すなわち、浴室ユニット１０内で使用した湯水が飛散したりして、支持部２２と壁パネル１２ａとの接合部に達しても、その湯水はメジ材２３によって、支持部２２の上面部２２ｂと壁パネル１２ａの下端面との隙間に浸入することを防止される。
【００２６】
また、本実施形態に係る設置構造２０では、床パン２１に設けられた支持部２２の上面部２２ｂに壁パネル１２ａを設置して、上面部２２ｂと壁パネル１２ａとの間に、メジ材２３を挿入するだけで壁パネル１２ａの床パン２１への設置ができるため、設置のための施工が極めて容易になる。また、この場合、壁パネル１２ａは、係合部２４と被係合部２９との係合によって、支持部２２に確実に取り付けられる。すなわち、被係合部２９を設けることによって被係合部形成部２８には突部２９ｃが形成されており、この突部２９ｃが、係合部２４の垂直片２４ａと係合片２４ｃとの間に係合するため、壁パネル１２ａは、床パン２１の上面部２２ｂから外れることがない。
【００２７】
また、前述した実施形態では、メジ材２３における支持部２２の上面部２２ｂと壁パネル１２ａの被係合部形成部２８との間に設置される部分は、硬質材料からなる硬質本体部２３ａで構成されて、壁パネル１２ａの重さが加わっても劣化し難い耐久性に優れたものになっている。また、硬質本体部２３ａに壁パネル１２ａの重さが加わるため、硬質本体部２３ａが上面部２２ｂの上面と壁パネル１２ａの下面とに密着するようになり止水性が向上するようになる。
【００２８】
さらに、メジ材２３における支持部２２の上面部２２ｂと壁パネル１２ａの下面との境界部およびその近傍における室内側の面に沿って設置される部分は、軟質材料からなる軟質ヒレ部２３ｂで構成されるため、軟質ヒレ部２３ｂが支持部２２と壁パネル１２ａとの境界部の室内側面に密着して止水性がさらに向上するようになる。また、メジ材２３の硬質本体部２３ａの上下両面に、それぞれ複数の弾性片２３ｃが形成されているため、メジ材２３を支持部２２と壁パネル１２ａとの間に挿入しやすくなる。
【００２９】
また、メジ材２３を支持部２２と壁パネル１２ａとの間に挿入したのちには、それぞれの弾性片２３ｃが支持部２２の上面部２２ｂまたは壁パネル１２ａの下端面に圧接して、メジ材２３が抜け難くなる。また、弾性片２３ｃによって止水性も向上する。さらに、本実施形態では、係合部２４が支持部２２と別部材で構成されているため、現場での施工の際に、係合部２４を支持部２２に取り付けることができる。このため、床パン２１の形状が単純になって製造が容易になる。
【００３０】
（第２実施形態）
図６は、本発明の第２実施形態に係る設置構造３０を示している。この設置構造３０では、支持部３２の上面部３２ｂの上面に、被係合突条３４が支持部３２の長手方向に沿って形成され、壁パネル３２ａの被係合部形成部３８の下面における被係合突条３４に対向する部分に、被係合条溝３５が形成されている。そして、メジ材３３の下面における被係合突条３４に対向する部分に、被係合突条３４と係合可能な係合条溝３６が形成され、メジ材３３の上面における被係合条溝３５に対向する部分に、被係合条溝３５と係合可能な係合突条３７が形成されている。
【００３１】
この設置構造３０におけるそれ以外の部分の構成については、前述した設置構造２０と同一である。したがって、同一部分に同一符号を記して説明は省略する。このように構成したため、この設置構造３０では、メジ材３３の係合条溝３６が支持部３２の被係合突条３４に係合するとともに、メジ材３３の係合突条３７が壁パネル３２ａの被係合条溝３５に係合して、メジ材３３が支持部３２と壁パネル３２ａとの間からさらに抜け難くなる。なお、被係合突条３４、係合条溝３６、被係合条溝３５及び係合突条３７を全て設ける必要はなく、被係合突条３４と係合条溝３６との組合せ、又は被係合条溝３５と係合突条３７との組合せのどちらか一方のみを採用してもよい。この設置構造３０におけるそれ以外の作用効果については、前述した第１実施形態の設置構造２０と同様である。
【００３２】
（第３実施形態）
図７は、本発明の第３実施形態に係る設置構造４０を示している。この設置構造４０では、支持部４２の上面部４２ｂにおける室内側と室外側との間に突条と条溝とが交互に形成されて構成された被係合部４４が支持部４２の長手方向に沿って形成されている。また、壁パネル４２ａの下端部に設けられた被係合部形成部４８は、アルミニウムからなる押出し材で構成されている。
【００３３】
この被係合部形成部４８は、断面形状が略四角形に形成された筒状体の室外側側面部４８ａと上面部４８ｂの長さを短くして、室外側側面部４８ａと上面部４８ｂとの角部にスリット部４９を形成するとともに、室外側側面部４８ａの上端から、室内側に向って延びる突部４８ｃを形成して構成されている。この設置構造４０におけるそれ以外の部分の構成については、前述した設置構造２０と同一である。したがって、同一部分に同一符号を記して説明は省略する。
【００３４】
このように構成したため、この設置構造４０では、壁パネル４２ａを支持部４２の上面部４２ｂ上に仮置きする場合の設置作業が容易になる。すなわち、この設置構造４０では、上面部４８ｂの奥行きの長さが短くなっているとともに、スリット部４９の幅が大きいため、壁パネル４２ａを垂直にせずにやや傾斜させた状態にして取り付けても支持部４２の適正位置に設置することができる。この設置構造４０におけるそれ以外の作用効果については、前述した設置構造２０と同様である。
【００３５】
（第４実施形態）
図８は、本発明の第４実施形態に係る設置構造５０を示している。この設置構造５０では、スリット部５９が、略四角筒状の被係合部形成部５８の室外側側面部５８ａの上部側部分に、室外側側面部５８ａの上端部から所定長さだけ間隔を保って形成されている。したがって、被係合部形成部５８の上面部５８ｂにおける室外側端部の下面には、室外側側面部５８ａの一部が突部として残っている。この設置構造５０におけるそれ以外の部分の構成については、前述した設置構造４０と同一である。したがって、同一部分に同一符号を記して説明は省略する。
【００３６】
この設置構造５０では、上面部５８ｂの室外側端部が室外側側面部５８ａまで延びているとともに、上面部５８ｂの室外側端部から下方に突部５９が形成されているため、被係合部形成部５８が、係合部２４から外れ難くなる。この設置構造５０におけるそれ以外の作用効果については、前述した設置構造４０と同様である。
【００３７】
（第５実施形態）
図９は、本発明の第５実施形態に係る設置構造６０を示している。この設置構造６０では、スリット部６９が、被係合部形成部６８の室外側側面部６８ａの上部側部分と、上面部６８ｂの室外側部分とに掛けて形成された幅広のスリットで構成されている。すなわち、この被係合部形成部６８は、図７に示した被係合部形成部４８から突部４８ｃを取り除いた形状に形成されている。
【００３８】
また、係合部６４の係合片６４ｃは、下部側部分が室内側に向って突出するように湾曲した形状に形成された弾性片で構成され、垂直片６４ａ側に向って付勢されている。したがって、室外側側面部６８ａを垂直片６４ａと係合片６４ｃとの間に下方から差し込むことにより、壁パネル６２ａを支持部６２に固定することができる。この設置構造６０におけるそれ以外の部分の構成については、前述した設置構造４０と同一である。したがって、同一部分に同一符号を記して説明は省略する。
【００３９】
この設置構造６０では、スリット部６９の幅が大きく設定されているため、壁パネル６２ａの支持部６２への取り付けが容易になる。また、被係合部形成部６８の室外側側面部６８ａが、係合部６４の垂直片６４ａと係合片６４ｃとの間に挟みこまれるため、被係合部形成部６８と係合部６４との係合がより強固になる。この設置構造６０におけるそれ以外の作用効果については、前述した設置構造４０と同様である。
【００４０】
（第６実施形態）
図１０は、本発明の第６実施形態に係る設置構造７０を示している。この設置構造７０では、被係合部形成部７８が、壁パネル７２ａの室内側面を構成する鋼板７７ａの下部側に連続して形成されている。この被係合部形成部７８は、鋼板７７ａの下端部から室外側に延びる底面部７８ａと、底面部７８ａの室外側端部から室内側上方に向かって傾斜して延びる折返し部７８ｂと折り返し部７８ｂの先端部から室内側下方に向って傾斜して延びる弾性部７８ｃとで構成されている。
【００４１】
また、係合部７４の係合片７４ｃは、水平片７４ｂの室内側端部から室内側下方に向って斜めに延びる断面形状が略コ字状の弾性片で構成されている。すなわち、この係合片７４ｃは、水平片７４ｂの室内側端部から室内側下方に向って斜めに延びたのちに、室内側上方に延び、さらにその先端から室外側上部に向って延びて断面形状がコ字状に形成されている。
【００４２】
したがって、弾性部７８ｃを係合片７４ｃの室外側部分の下面に接面させた状態で、折返し部７８ｂと係合片７４ｃとを、係合部７４の内側（垂直片７４ａ、水平片７４ｂおよび係合片７４ｃの室外側部分で囲まれる部分）に位置させることにより、壁パネル７２ａを支持部７２に固定することができる。この設置構造７０におけるそれ以外の部分の構成については、前述した設置構造４０と同一である。したがって、同一部分に同一符号を記して説明は省略する。
【００４３】
この設置構造７０では、係合部７４の係合片７４ｃと、被係合部形成部７８の弾性部７８ｃとがともに弾性を備えているため、被係合部形成部７８と係合部７４との係合が確実になる。また、係合片７４ｃと弾性部７８ｃとが係合する際に、係合片７４ｃと弾性部７８ｃの双方、又は一方が撓んで、係合片７４ｃと弾性部７８ｃとが係合することができる。このため、メジ材２３を取り付けない状態でも、被係合部形成部７８と係合部７４とが係合するように構成しても、壁パネル７２ａを支持部７２の上面部４２ｂ上に載せた状態で、壁パネル７２ａを室外側にスライドさせると、係合片７４ｃと弾性部７８ｃとが係合する。これによって、被係合部形成部７８と係合部７４との係合がより強固にすることができる。この設置構造７０におけるそれ以外の作用効果については、前述した設置構造４０と同様である。
【００４４】
（第７実施形態）
図１１は、本発明の第７実施形態に係る設置構造８０を示している。この設置構造８０では、被係合部形成部８８に形成される被係合部８９が、壁パネル８２ａの水平方向全体に沿って設けられているのではなく、図１２に示したように、所定間隔を保って複数個設けられている。そして、係合部８４も支持部８２における被係合部８９に対応する部分だけに設けられている。この設置構造８０におけるそれ以外の部分の構成については、前述した設置構造２０と同一である。したがって、同一部分に同一符号を記して説明は省略する。
【００４５】
この設置構造８０によると、係合部８４を必要な部分に最小限設ければよくなるため、材料の節減ができる。また、被係合部８９を壁パネル８２ａの水平方向全体に形成する必要がなくなるため、被係合部８９を形成するための加工作業が減少する。この設置構造８０におけるそれ以外の作用効果については、前述した設置構造２０と同様である。
【００４６】
また、本発明に係る設置構造は、前述した各実施形態に限定するものでなく、適宜変更して実施することが可能である。例えば、前述した実施形態１ないし６の設置構造２０，３０，４０，５０，６０では、係合部２４等および被係合部２９等を、支持部２２等や壁パネル１２ａ等の水平方向全体に沿って設けているが、これらは、長さの短い複数個のもので構成して所定箇所にだけ設けることもできる。
【００４７】
また、メジ材２３，３３の弾性片２３ｃは省略することができ、特に、図６に示したメジ材３３のように係合条溝３６および係合突条３７が形成されている場合には、弾性片２３ｃは設けなくてもよい。さらに、前述した各実施形態では、設置構造２０等を浴室ユニット１０に設けているが、本発明に係る壁パネルの床パンへの設置構造は、浴室ユニットだけでなく、トイレユニットや洗面室ユニット等、各種衛生設備室に用いられる止水機能が要求される床パンと壁パネルを備えたものであれば利用が可能である。また、前述した部分以外の部分の構成についても、前述した各実施形態に限定することなく、本発明の技術的範囲内で適宜変更して実施することができる。
【図面の簡単な説明】
【００４８】
【図１】本発明に係る設置構造を備えた浴室ユニットを示した斜視図である。
【図２】第１実施形態に係る設置構造を示した断面図である。
【図３】支持部に係合部を取り付けた状態を示した断面図である。
【図４】支持部の上面部に壁パネルを載せた状態を示した断面図である。
【図５】メジ材を示した側面図である。
【図６】第２実施形態に係る設置構造を示した断面図である。
【図７】第３実施形態に係る設置構造を示した断面図である。
【図８】第４実施形態に係る設置構造を示した断面図である。
【図９】第５実施形態に係る設置構造を示した断面図である。
【図１０】第６実施形態に係る設置構造を示した断面図である。
【図１１】第７実施形態に係る設置構造を示した断面図である。
【図１２】第７実施形態で用いる壁パネルを示した斜視図である。
【符号の説明】
【００４９】
１０…浴室ユニット、１２ａ，１２ｂ，１２ｃ，３２ａ，４２ａ，６２ａ，７２ａ，８２ａ…壁パネル、２０，３０，４０，５０，６０，７０，８０…設置構造、２１…床パン、２１ａ…洗い場パン、２２，３２，４２，６２，７２，８２…支持部、２２ｂ，３２ｂ，４２ｂ…上面部、２２ｃ…支持面部、２３，３３…メジ材、２３ａ…硬質本体部、２３ｂ…軟質ヒレ部、２３ｃ…弾性片、２４，６４，７４，８４…係合部、２４ａ，６４ａ，７４ａ…垂直片、２４ｂ，７４ｂ…水平片、２４ｃ，６４ｃ，７４ｃ…係合片、２８，３８，４８，５８，６８，７８，８８…被係合部形成部、２９，８９…被係合部、２９ａ…水平凹部、２９ｂ…被係合凹部、２９ｃ，４８ｃ…突部、４８ａ，５８ａ，６８ａ…室外側側面部、４９，５９，６９…スリット部、７８ａ…底面部、７８ｂ…折り返し部、７８ｃ…弾性部。
【図１】
2006200287.tif 000003
【図２】
2006200287.tif 000004
【図３】
2006200287.tif 000005
【図４】
2006200287.tif 000006
【図５】
2006200287.tif 000007
【図６】
2006200287.tif 000008
【図７】
2006200287.tif 000009
【図８】
2006200287.tif 000010
【図９】
2006200287.tif 000011
【図１０】
2006200287.tif 000012
【図１１】
2006200287.tif 000013
【図１２】
2006200287.tif 000014